【事件の表示】
　特許第３１０８５０１号「田植機の苗植付装置」の請求項１乃至３に係る特許に対する特許異議の申立てについて、次のとおり決定する。
【結　論】
　訂正を認める。
　特許第３１０８５０１号の請求項１乃至３に係る特許を取り消す。
【理　由】
１．手続の経緯
　
　本件特許第３１０８５０１号の請求項１乃至３に係る発明についての出願は、平成４年２月２１日に出願された特願平４−３３９１２号であって、平成１２年９月８日にその発明について特許権の設定登録がなされ、その後、その特許について、三菱農機株式会社から特許異議の申立てがなされ、取消しの理由が通知され、その指定期間内である平成１３年１０月９日（後日取下げ）に訂正請求がなされた後、再度の取消しの理由が通知され、その指定期間内である平成１４年１月２３日に訂正請求がなされたものである。
　
２．訂正の適否についての判断
　
２−１．訂正の内容
（１）訂正事項ａ
　特許請求の範囲の請求項１の「苗を田面に植え付ける植付機構（３）を後部に備えて苗のせ台（２）を往復横送り駆動する伝動機構とは別体に形成された複数の植付ケース（８）を、互いに平行状で後向きに、」（本件特許公報（以下、訂正事項ｂ乃至ｅについて同じ。）第１欄第３〜６行）を、
「前記横フレーム（７）に連結された伝動ケース（６）に備えられたもので苗のせ台（２）を往復横送り駆動する伝動機構を備え、苗を田面に植え付ける植付機構（３）を後部に備えて前記伝動ケース（６）とは別体に形成された複数の植付ケース（８）を、前記横フレーム（７）の右及び左の端部よりも内方側に右及び左の最外側の植付ケース（８）が位置し且つ互いに平行状で後向きになるように、」と訂正する。
（２）訂正事項ｂ
　特許請求の範囲の請求項１の「前記複数の植付ケース（８）に亘って」（第１欄第１０〜１１行）を、
「前記複数の植付ケース（８）及び前記伝動ケース（６）に亘って」と訂正する。
（３）訂正事項ｃ
　明細書の段落【０００６】の「苗を田面に植え付ける植付機構を後部に備えて苗のせ台を往復横送り駆動する伝動機構とは別体に形成された複数の植付ケースを、互いに平行状で後向きに、」（第３欄第４２〜４５行）を、
「横フレームに連結された伝動ケースに備えられたもので苗のせ台を往復横送り駆動する伝動機構を備え、苗を田面に植え付ける植付機構を後部に備えて伝動ケースとは別体に形成された複数の植付ケースを、横フレームの右及び左の端部よりも内方側に右及び左の最外側の植付ケースが位置し且つ互いに平行状で後向きになるように、」と訂正する。
（４）訂正事項ｄ
　明細書の段落【０００６】の「複数の植付ケースに亘って」（第３欄第４８行）を、
「複数の植付ケース及び伝動ケースに亘って」と訂正する。
（５）訂正事項ｅ
　明細書の【符号の説明】の「３植付機構」（第１０欄第５行）と「７横フレーム」（第１０欄第６行）の間に、
「６伝動ケース」を加入する。
　
２−２．訂正の目的の適否、新規事項の有無及び拡張・変更の存否
　上記訂正事項ａは、本件特許の請求項１に係る発明の構成に欠くことができない事項である「苗のせ台を往復横送り駆動する伝動機構」をこれに含まれる事項である「横フレームに連結された伝動ケースに備えられたもので苗のせ台を往復横送り駆動する伝動機構」に変更し、これに伴い同発明の構成に欠くことができない事項である「苗のせ台を往復横送り駆動する伝動機構とは別体に形成された複数の植付ケース」を「伝動ケースとは別体に形成された複数の植付ケース」に変更するとともに、同発明の構成に欠くことができない事項である「複数の植付ケースを、互いに平行状で後向きに、」をこれに含まれる事項である「複数の植付ケースを、横フレームの右及び左の端部よりも内方側に右及び左の最外側の植付ケースが位置し且つ互いに平行状で後向きになるように、」に変更するものであるから、特許請求の範囲の減縮を目的とした明細書の訂正に該当する。
　上記訂正事項ｂは、本件特許の請求項１に係る発明の構成に欠くことができない事項である「複数の植付ケースに亘って」をこれに含まれる「複数の植付ケース及び伝動ケースに亘って」に変更するものであるから、特許請求の範囲の減縮を目的とした明細書の訂正に該当する。
　上記訂正事項ｃ乃至ｅは、上記訂正事項ａ及びｂと整合を図るものであるから、明りょうでない記載の釈明を目的とした明細書の訂正に該当する。
　そして上記伝動機構が横フレームに連結された上記伝動ケースに備えられたものである点、上記複数の植付ケースを上記伝動ケースとは別体に形成する点、上記複数の植付ケースを、上記横フレームの右及び左の端部よりも内方側に右及び左の最外側の上記植付ケースが位置するように該横フレームの外側面に片持ち状に連設する点及び上記複数の植付ケースに動力を伝達する伝動軸を上記複数の植付ケース及び上記伝動ケースに亘って架設する点は、願書に添付された明細書又は図面に記載されているから、上記訂正事項ａ乃至ｅは、新規事項の追加に該当せず、実質上特許請求の範囲を拡張し、又は変更するものでもない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
　
３−１．本件特許に係る発明
　上記のとおり平成１４年１月２３日付けの訂正が認められるから、本件特許の請求項１乃至３に係る特許（以下、「本件発明１」乃至「本件発明３」という。）は、訂正明細書の特許請求の範囲に記載されたとおりの下記のものである。
「【請求項１】　左右方向に沿って横長の横フレーム（７）を配置して、前記横フレーム（７）に連結された伝動ケース（６）に備えられたもので苗のせ台（２）を往復横送り駆動する伝動機構を備え、苗を田面に植え付ける植付機構（３）を後部に備えて前記伝動ケース（６）とは別体に形成された複数の植付ケース（８）を、前記横フレーム（７）の右及び左の端部よりも内方側に右及び左の最外側の植付ケース（８）が位置し且つ互いに平行状で後向きになるように、前記横フレーム（７）の外側面に片持ち状に連設させるべく構成すると共に、前記複数の植付ケース（８）に動力を伝達する伝動軸（１０）を、前記横フレーム（７）の外部で前記複数の植付ケース（８）及び前記伝動ケース（６）に亘って架設し、前記横フレーム（７）の右側部及び左側部に支持フレーム（１２）を立設して、前記苗のせ台（２）の上部を前記支持フレーム（１２）に左右方向に往復横送り自在に支持させてある田植機の苗植付装置。
【請求項２】　植付ケース（８）を横フレーム（７）に対して直接に取り付けて支持させてある請求項１記載の田植機の苗植付装置。
【請求項３】　前側斜め上方に傾斜して配置される苗のせ台（２）に対し、前記苗のせ台（２）の前側に沿って前側斜め上方に傾斜して、支持フレーム（１２）を立設してある請求項１又は２記載の田植機の苗植付装置。」
　
３−２．刊行物に記載された発明
（１）当審が通知した平成１３年１１月１４日付の取消しの理由（以下、「取消しの理由」という。）に引用された特開昭５２−３４２１２号公報（以下、「刊行物１」という。）には、以下の事項が記載されている。
「植付機構２１を装備した植付ケース２２・・を複数個横方向に並置するとともに、各植付ケース２２・・の入力軸２５・・を横方向に水平軸支し、これら入力軸２５・・を互いに一直線状に連動連結し、且つ、所定の入力軸２５端部に動力を伝達する機構２６を配置してあることを特徴とする多条植え田植装置。」（特許請求の範囲）、
「前記田植装置３は、第３図参照のように、上下に循環回動駆動される４対の植付爪２０・・等からなる植付機構２１を装備した二つの植付ケース２２，２２が前記連結用枠体１２に連結された状態で横方向に並置されて構成されるものであって、下部フロート２３・・を圃場面に沿って滑動させながら横往復移動する苗のせ台２４・・の載置苗を８対の植付爪２０・・で順次圃場に植付けるように構成されている。また、前記植付ケース２２・・には、第４図に示すように入力軸２５・・が夫々横方向に向けて水平軸支され、且つ、夫々の入力軸２５・・が一直線状に沿って配置されるとともに、両ケース２２・・間には、前記回転軸７と連動連結されて動力を受入れ、且つ、前記入力軸２５・・の端部に動力を伝達する機構２６が配置されている。この伝達機構２６について詳しく説明すると、前記回転軸７と連動連結される縦軸２７、前記入力軸２５の端部と連結される横軸２８及び中間伝動横軸２９が前記枠体１２に連結支持されるミッションケース３０に夫々軸支されており、これら各軸２７，２８，２９に軸支されるギヤを介して以下に述べる様に動力伝達が行なわれる。すなわち、縦軸２７→・・・横軸２８→入力軸２５・・。」（第２頁左下欄第８行〜同頁右下欄第１９行）、
「前記横軸２８と入力軸２５，２５との連結部には軸心方向の位置決め微調節が可能なスプライン継手５３，５３が介在されている。」（第３頁左上欄第１１〜１３行）、
「実施例においては、両植付ケース２２，２２の間に伝達機構２６を配置したが、例えば片側植付ケース２２の所定の入力軸２５の端部のみに伝達機構２６を連結し、入力軸２５，２５を夫々軸継手構造を介して連結しても、所要の動力伝達が行なえるものとなる。」（第３頁左下欄第１０〜１５行）、
「実施例においては、各植付ケース２２が４対の植付爪２０・・からなる植付機構２１を装備するのを例示したが、２対の植付爪２０からなる植付機構２１等を装備するものに構成してもよい。以上要するに本発明による多条植え田植装置は植付機構２１を装備した植付ケース２２・・を複数個横方向に並置するとともに、各植付ケース２２・・の入力軸２５・・を横方向に水平軸支し、これら入力軸２５・・を互いに一直線状に連動連結し、且つ、所定の入力軸２５端部に動力を伝達する機構２６を配置してあることを特徴とする。即ち、多条植えでありながら植付ケースを複数に構成したので、全体を横巾の長い一個の植付ケースに構成した場合に比して各植付ケース２２は軽小で強度も小さいものですむとともに、各ケースごとに内部機構の組付けができ組立てが容易になり、また各植付ケース２２は比較的小さいものとなるからケース自体及び内装部品の加工精度を上げることも容易となる。そして、このような植付ケース２２・・を並置して各ケース２２・・の水平入力軸２５・・を一直線状に連動連結して所定の入力軸端部に動力伝達機構２６を配置するだけで、各植付機構２１・・を簡単に駆動することができ、その結果、所望数の多条植えを行う田植装置を植付ケース並びに伝動機構の構造が簡単なものとして構成し得るに至つたのである。」（第３頁右下欄第７行〜第４頁左上欄第１５行）、
「第１〜３図に記載された、乗用型田植機の後部の態様」（第１〜３図）及び
「第４図に記載された、田植装置における植付ケースと動力伝達装置との連結部の態様」（第４図）。
　上記摘記された事項からみて、刊行物１に記載された発明は、さらに以下の構成を備えていると認められる。
(i)上記苗のせ台を横往復移動させる伝動機構が、上記植付ケースに備えられる（第２頁左下欄第８行〜同頁右下欄第１９行及び第４図参照）、
(ii)複数の上記植付ケースが、互いに平行状で後向きになるように、上記連結用枠体の外側面に片持ち状に直接連設される（第２頁左下欄第８〜１６行並びに第２及び３図参照）、
(iii)複数の上記植付ケースの上記入力軸及び上記ミッションケースに軸支された上記横軸が、上記連結用枠体の外部に配置され、かつ互いに一直線状に連動連結される（第２頁左下欄第８行〜同頁右下欄第１９行、第３頁右下欄第１２〜１９行並びに第２及び４図参照）、
(iv)上記苗のせ台の上部が、上記連結用枠体に立設された部材により横往復移動自在に支持されるとともに、該部材は、前側斜め上方に傾斜して配置される上記苗のせ台の前側に沿って前側斜め上方に傾斜する（第２頁左下欄第８〜１６行並びに第１及び３図参照）。
　以上のとおりであるから、刊行物１には下記の発明が記載されている。
「横方向に沿って連結用枠体を配置して、苗のせ台を横往復移動させる伝動機構を備え、植付機構を装備してミッションケースとは別体に形成された複数の植付ケースを、互いに平行状で後向きになるように、前記連結用枠体の外側面に片持ち状に連設させるべく構成すると共に、前記複数の植付ケースの入力軸及び前記ミッションケースに軸支された横軸を、前記連結用枠体の外部に配置し、かつ互いに一直線状に連動連結し、前記連結用枠体に部材を立設して、前記苗のせ台の上部を該部材に横往復移動自在に支持されてある多条植え田植装置であって、前記ミッションケースを前記連結用枠体に連結し、前記植付ケースを前記連結用枠体に対して直接に取り付けて支持させ、前側斜め上方に傾斜して配置される前記苗のせ台に対し、前記苗のせ台の前側に沿って前側斜め上方に傾斜して、前記部材を立設してある多条植え田植装置。」
（２）取消しの理由に引用された実願昭６２−１８３８３７号（実開平１−８７６１０号）のマイクロフィルム（以下、「刊行物２」という。）には、以下の事項が記載されている。
「第１図は、本案植付部カバー（Ａ）を取付けた植付部の側面図、第２図はその平面図である。（８５）はセンターケースであって、その両側からは植付伝動ケースに亘って伝動軸ケース（８６）が架設されている。」（第１４頁第８〜１２行）及び
「第２図に記載された、本案植付部カバー（Ａ）を取付けた植付部の平面図の態様」。
　上記摘記された事項からみて、刊行物２には下記の発明が記載されている。
「植付センターケースの両側から植付伝動ケースに亘って伝動軸ケースを架設し、前記植付伝動ケースの反植付センターケース側の側面から前記伝動軸ケースの延長上に部材を延設した乗用田植機の植付部。」
（３）取消しの理由に引用された実願昭６１−４００５８号（実開昭６２−１５３８０６号）のマイクロフィルム（以下、「刊行物３」という。）には、以下の事項が記載されている。
「本考案の実施例を図面に基づいて説明すると・・・前記植付部５は伝動ケース７，左右に往復動する苗載台８，支持腕９及びリンク１０で下部に取付けたフロート１１及び後部に装着した複数の植付杆１２等で構成されている。前記苗載台８には苗の滑落方向にマット苗が２枚半は搭載できるようになっている。伝動ケース７の前部にはブラケツト１３，１３で取付けた横方向に長い筒状ステー１４を設け・・・伝動ケ一ス７の上方に前高後低に傾斜して設けた苗載台８は、その背面上部寄りの下方からマット苗２枚相当分の長さ位置に上部レール１６が、下部寄りに下部レール１７がそれぞれ横方向に取付けてあり、又両レール１６，１７間の中程には横ステー１８が横方向に取付けてある。そして、苗載台８の下部レール１７は伝動ケース７の上部に設けたスライドピース１９に支持され、又、上部レール１６は前記筒状ステー１４に横方向間隔をもたせて立設した左右一対の苗載台支持フレーム２１、２１先端のスライドピース２２に支持されており、更に、上記横ステー１８は、横ステー１８の下方において伝動ケース７に左右方向摺動自在に軸支したスライドバー２３の左右両端部に、取付板２４，２４を介して連結されている。又、上記スライドバー２３は、伝動ケース７内で回動するスクリューシャフトに連動連結されており、これにより苗載台８は横方向に往復動するようになっている。」（第５頁第１７行〜第７頁第１３行）及び
「第１〜３図に記載された、乗用田植機の苗植付部の態様」（第１〜３図）。
　上記摘記された事項からみて、刊行物３には下記の発明が記載されている。
「伝動ケースの前部にブラケットで取付けた横方向に長い筒状のステーを設け、左右方向に往復動する苗載台の上部レールが該筒状ステーに横方向間隔をもたせて立設した左右一対の苗載台支持フレーム先端のスライドピースに支持されている苗植付部。」
　
３−３．対比・判断
（１）本件発明１について
　本件発明１と刊行物１に記載された発明を比較すると、刊行物１に記載された発明の「連結用枠体」、「ミッションケース」、「苗のせ台」、「苗のせ台を横往復移動させる伝動機構」、「植付機構」、「植付ケース」、「部材」及び「多条植え田植装置」は、各々、本件発明１の「横フレーム」、「伝動ケース」、「苗のせ台」、「苗のせ台を往復横送り駆動する伝動機構」、「苗を田面に植え付ける植付機構」、「植付ケース」、「支持フレーム」及び「田植機の苗植付装置」に相当する。
　そして刊行物１に記載された発明の「複数の植付ケースの入力軸及びミッションケースに軸支された横軸」は、互いに一直線状に連動連結されて上記複数の植付ケースに動力を伝達しているから、本件発明１の「複数の植付ケースに動力を伝達する伝動軸」に相当する。
　してみると本件発明１と刊行物１に記載された発明は、「左右方向に沿って横長の横フレームを配置して、苗のせ台を往復横送り駆動する伝動機構を備え、苗を田面に植え付ける植付機構を後部に備えて、伝動ケースとは別体に形成された複数の植付ケースを、互いに平行状で後向きになるように、前記横フレームの外側面に片持ち状に連設させるべく構成すると共に、前記複数の植付ケースに動力を伝達する伝動軸を、前記横フレームの外部で前記複数の植付ケース及び前記伝動ケースに亘って架設し、前記横フレームに支持フレームを立設して、前記苗のせ台の上部を前記支持フレームに左右方向に往復横送り自在に支持させてある田植機の苗植付装置であって、前記伝動ケースが前記横フレームに連結された田植機の苗植付装置。」の発明である点で一致し、（１）前者は、前記伝動機構が上記伝動ケースに備えられたものであるのに対し、後者は、上記植付ケースに備えられたものである点、（２）前者は、上記複数の植付ケースを、上記横フレームの右及び左の端部よりも内方側に右及び左の最外側の植付ケースが位置するように、上記横フレームに連設させるのに対し、後者は、当該構成を有しない点及び（３）前者は、上記支持フレームを上記横フレームの右側部及び左側部に立設しているのに対し、後者は、上記支持フレームを上記横フレームのどの部分に立設しているのか不明である点で相違する。
　そこで上記相違点について検討する。
　相違点（１）について、田植機の苗植付装置において、苗のせ台を往復横送り駆動する伝動機構を、田植機本体の動力取り出し軸からの動力を苗を田面に植え付ける植付機構に伝える伝動機構を備える伝動ケースに備えることは、周知技術である（例えば実願昭６１−１７７６５７号（実開昭６３−８５０１９号）のマイクロフィルム参照）。してみれば刊行物１に記載された発明において、上記相違点（１）に係る本件発明１の構成を採用することは、上記周知技術に基づいて当業者が容易に想到し得る事項である。
　相違点（２）について、本件発明１と刊行物２に記載された発明を比較すると、刊行物２に記載された発明の「植付伝動ケース」及び「乗用田植機の植付部」は、各々、本件発明１の「植付ケース」及び「田植機の苗植付装置」に相当する。そして本件発明１の「横フレーム」と刊行物２に記載された発明の上記伝動軸ケースは、複数の上記植付ケースを一体に結合する点で共通している。
　刊行物１に記載された発明と刊行物２に記載された発明は「田植機の苗植付装置」という同一の技術分野に属しているから、前者に後者を適用することは当業者が容易になし得る事項である。してみれば刊行物１に記載された発明において、上記横フレームの右及び左の端部を右及び左の最外側の上記植付ケースよりも外方側に位置させることは、刊行物２に記載された発明に基づいて当業者が容易に想到し得る事項ということができるから、刊行物１に記載された発明において上記相違点（２）に係る本件発明１の構成を採用することは、刊行物２に記載された発明に基づいて当業者が容易に想到し得る事項である。
　相違点（３）について、本件発明１と刊行物３に記載された発明を比較すると、刊行物３に記載された発明の「苗載台」、「苗載台支持フレーム」及び「苗植付部」は、各々、本件発明１の「苗のせ台」、「支持フレーム」及び「田植機の苗植付装置」に相当する。そして、刊行物１に記載された発明と刊行物３に記載された発明は「田植機の苗植付装置」という同一の技術分野に属しているから、前者に後者を適用することは当業者が容易になし得る事項である。してみれば、刊行物１に記載された発明において、相違点（３）に係る本件発明１の構成を採用することは、刊行物３に記載された発明に基づいて当業者が容易に想到し得る事項である。
　さらに、本件発明１の奏する効果に刊行物１乃至３に記載された発明の奏する効果の総和以上の顕著なものは認められない。
　よって本件発明１は、刊行物１乃至３に記載された発明に基づいて当業者が容易に発明をすることができたものである。
　なお上記横フレームの右及び左の端部よりも内方側に右及び左の最外側の植付ケースを位置させれば、該右及び左の最外側の植付ケースの障害物との接触を少なくして、同右及び左の最外側の植付ケースの破損を少なくすることができることは自明である。
　また特許権者は、平成１４年１月２３日付けの特許異議意見書において、「刊行物１に記載された発明の「連結用枠体」は、本件発明１の「横フレーム」に相当しない」旨の主張をしている。しかしながら、先に検討したとおり、刊行物１に記載された発明の「植付機構」は本件発明１の「苗を田面に植え付ける植付機構」に相当し、刊行物１に記載された発明の「植付ケース」は、該植付機構を後部に備えることからみて、本件発明１の「植付ケース」に相当する。してみれば刊行物１に記載された発明の「連結用枠体」は、複数の上記植付ケースが連接されることからみて、本件発明１の「横フレーム」に相当するから、特許権者の上記主張はこれを採用できない。
（２）本件発明２について
　本件発明２は、本件発明１において「植付ケースを横フレームに対して直接に取り付けて支持させてある」ことを特徴としたものである。
　本件発明１については上記３−３．（１）で検討している。
　そして刊行物１に記載された発明においても、複数の上記植付ケースを上記横フレーム（連結用枠体）に対して直接に取り付けて支持させてある。
　さらに、本件発明２の奏する効果に刊行物１乃至３に記載された発明の奏する効果の総和以上の顕著なものは認められない。
　よって本件発明２は、刊行物１乃至３に記載された発明に基づいて当業者が容易に発明をすることができたものである。
（３）本件発明３について
　本件発明３は、本件発明１又は２において「前側斜め上方に傾斜して配置される苗のせ台に対し、前記苗のせ台の前側に沿って前側斜め上方に傾斜して、支持フレームを立設してある」ことを特徴としたものである。
　本件発明１及び２については上記３−３．（１）及び（２）で夫々検討している。
　そして刊行物１に記載された発明においても、上記苗のせ台は前側斜め上方に傾斜して配置され、上記横フレーム（連結用枠体）に立設された上記支持フレーム（部材）は該苗のせ台の前側に沿って前側斜め上方に傾斜していると認められる。
　さらに、本件発明３の奏する効果に刊行物１乃至３に記載された発明の奏する効果の総和以上の顕著なものは認められない。
　よって本件発明３は、刊行物１乃至３に記載された発明に基づいて当業者が容易に発明をすることができたものである。
　
３−４．むすび
　以上のとおりであるから、本件発明１乃至３は、特許法第２９条第２項の規定により特許受けることができない。
　したがって、本件発明１乃至３についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年３月１９日（２００２．３．１９）
【訂正の要旨】
訂正の要旨
（１）訂正事項ａ
　特許請求の範囲の請求項１の「苗を田面に植え付ける植付機構（３）を後部に備えて苗のせ台（２）を往復横送り駆動する伝動機構とは別体に形成された複数の植付ケース（８）を、互いに平行状で後向きに、」（第１欄第３〜６行）を、特許請求の範囲の減縮を目的として
「前記横フレーム（７）に連結された伝動ケース（６）に備えられたもので苗のせ台（２）を往復横送り駆動する伝動機構を備え、苗を田面に植え付ける植付機構（３）を後部に備えて前記伝動ケース（６）とは別体に形成された複数の植付ケース（８）を、前記横フレーム（７）の右及び左の端部よりも内方側に右及び左の最外側の植付ケース（８）が位置し且つ互いに平行状で後向きになるように、」と訂正する。
（２）訂正事項ｂ
　特許請求の範囲の請求項１の「前記複数の植付ケース（８）に亘って」（第１欄第１０〜１１行）を、特許請求の範囲の減縮を目的として
「前記複数の植付ケース（８）及び前記伝動ケース（６）に亘って」と訂正する。
（３）訂正事項ｃ
　明細書の段落【０００６】の「苗を田面に植え付ける植付機構を後部に備えて苗のせ台を往復横送り駆動する伝動機構とは別体に形成された複数の植付ケースを、互いに平行状で後向きに、」（第３欄第４２〜４５行）を、明りょうでない記載の釈明を目的として
「横フレームに連結された伝動ケースに備えられたもので苗のせ台を往復横送り駆動する伝動機構を備え、苗を田面に植え付ける植付機構を後部に備えて伝動ケースとは別体に形成された複数の植付ケースを、横フレームの右及び左の端部よりも内方側に右及び左の最外側の植付ケースが位置し且つ互いに平行状で後向きになるように、」と訂正する。
（４）訂正事項ｄ
　明細書の段落【０００６】の「複数の植付ケースに亘って」（第３欄第４８行）を、明りょうでない記載の釈明を目的として
「複数の植付ケース及び伝動ケースに亘って」と訂正する。
（５）訂正事項ｅ
　明細書の【符号の説明】の「３植付機構」（第１０欄第５行）と「７横フレーム」（第１０欄第６行）の間に、明りょうでない記載の釈明を目的として
「６伝動ケース」を加入する。
（５４）【発明の名称】
田植機の苗植付装置
（５７）【特許請求の範囲】
　【請求項１】　左右方向に沿って横長の横フレーム（７）を配置して、
前記横フレーム（７）に連結された伝動ケース（６）に備えられたもので苗のせ台（２）を往復横送り駆動する伝動機構を備え、
　
苗を田面に植え付ける植付機構（３）を後部に備えて前記伝動ケース（６）とは別体に形成された複数の植付ケース（８）を、前記横フレーム（７）の右及び左の端部よりも内方側に右及び左の最外側の植付ケース（８）が位置し且つ互いに平行状で後向きになるように、
　前記複数の植付ケース（８）に動力を伝達する伝動軸（１０）を、前記横フレーム（７）の外部で前記複数の植付ケース（８）
及び前記伝動ケース（６）
　前記横フレーム（７）の右側部及び左側部に支持フレーム（１２）を立設して、前記苗のせ台（２）の上部を前記支持フレーム（１２）に左右方向に往復横送り自在に支持させてある田植機の苗植付装置。
　【請求項２】　植付ケース（８）を横フレーム（７）に対して直接に取り付けて支持させてある請求項１記載の田植機の苗植付装置。
　【請求項３】　前側斜め上方に傾斜して配置される苗のせ台（２）に対し、前記苗のせ台（２）の前側に沿って前側斜め上方に傾斜して、支持フレーム（１２）を立設してある請求項１又は２記載の田植機の苗植付装置。
【発明の詳細な説明】
　【０００１】
　【産業上の利用分野】
　本発明は、田植機における苗植付装置の全体構成に関する。
　【０００２】
　【従来の技術】
　田植機における苗植付装置の全体構成としては、例えば実開昭６２−９９９１４号公報に開示されているように、田面に苗を植え付ける植付爪（前記公報の第１図中の３）を、植付ケース（前記公報の第１図中の７ａ，７ｂ）の後部に備えて、田植機の植付条数に応じて複数の植付ケースを用意し、複数のパイプ部材（前記公報の第１図中の８ａ，８ｂ）により、複数の植付ケースの間をつなぐように構成して、苗植付装置の全体を構成したものがある。
　【０００３】
　【発明が解決しようとする課題】
　近年では、一つの植付条に複数の植付爪（図１及び図２参照）を備えたロータリ型式の苗植付装置が多くなり、これに伴い苗植付装置の全体の重量が重くなってきている。従って、乗用型の田植機では本体のリンク機構に、苗植付装置の左右中央部が支持される構成なので、前述のように苗植付装置の全体の重量が重くなると、苗植付装置の全体を左右方向に曲げようとする曲げモーメントが大きくなってくる。
　【０００４】
　これに対し前述の実開昭６２−９９９１４号公報のように、複数のパイプ部材により複数の植付ケースの間をつないでいく構成であると、パイプ部材の端面と植付ケースの横面との連結部が、左右方向に沿って多数並ぶ状態（前記公報の第１図参照）となり、苗植付装置の全体を左右方向に曲げようとする曲げモーメントが、パイプ部材の端面と植付ケースの横面との連結部の各々に掛かる状態となるので、苗植付装置の全体の強度の確保と言う面で改善の余地がある。
　【０００５】
　又、パイプ部材の端面と植付ケースの横面との連結部には、組立時に左右方向の連結誤差が発生し易いので、前述の実開昭６２−９９９１４号公報のように、複数のパイプ部材により複数の植付ケースの間をつないでいく構成であると、前述の連結誤差が左右方向に沿って集積されて、左右両側方の植付爪の位置に誤差の発生することがある。
　本発明は田植機の苗植付装置において、苗植付装置の全体の強度を充分に確保し、左右両側方の植付爪の位置の誤差の発生を抑えることを目的としており、左右方向に往復横送り駆動される苗のせ台を適切に支持することができるように構成することを目的としている。
　【０００６】
　【課題を解決するための手段】
　本発明の特徴は、田植機の苗植付装置において、次のように構成することにある。
［１］
　左右方向に沿って横長の横フレームを配置して、
横フレームに連結された伝動ケースに備えられたもので苗のせ台を往復横送り駆動する伝動機構を備え、
　
苗を田面に植え付ける植付機構を後部に備えて伝動ケースとは別体に形成された複数の植付ケースを、横フレームの右及び左の端部よりも内方側に右及び左の最外側の植付ケースが位置し且つ互いに平行状で後向きになるように、
　複数の植付ケースに動力を伝達する伝動軸を、横フレームの外部で複数の植付ケース
及び伝動ケース
　横フレームの右側部及び左側部に支持フレームを立設して、苗のせ台の上部を支持フレームに左右方向に往復横送り自在に支持させてある。
　【０００７】
［２］
　前項［１］の構成において、植付ケースを横フレームに対して直接に取り付けて支持させてある。
　【０００８】
［３］
　前項［１］又は［２］の構成において、前側斜め上方に傾斜して配置される苗のせ台に対し、苗のせ台の前側に沿って前側斜め上方に傾斜して、支持フレームを立設してある。
　【０００９】
　【作用】
［Ｉ］
　請求項１の特徴によると、左右方向に沿って横長の横フレームが配置され、苗を田面に植え付ける植付機構を後部に備えた複数の植付ケースが、互いに平行な状態で、横フレームの外側面に後向きに片持ち状に連設されるので、苗植付装置の全体を左右方向に曲げようとする曲げモーメントが横フレームに掛かる状態となる。
　【００１０】
　この場合、「従来の技術」に記載の実開昭６２−９９９１４号公報の構成のような、パイプ部材の端面と植付ケースの横面との連結部が左右方向に沿って多数並ぶと言う状態は、請求項１の特徴による横フレームには生じないので、苗植付装置の全体を左右方向に曲げようとする曲げモーメントが、横フレームに掛かる状態となっても、横フレームは充分に耐えることができる。
　請求項１の特徴によると、植付ケースは苗のせ台を往復横送り駆動する伝動機構とは別体に形成されたものなので、比較的幅の狭いものとなっており、植付ケースを横フレームに連設する為の部分も比較的幅の狭いものとなる。
　【００１１】
　請求項１の特徴による横フレームにおいて、パイプ部材の端面と植付ケースの横面との連結部が左右方向に沿って多数並ぶと言う状態が生じなければ、パイプ部材の端面と植付ケースの横面との連結部に発生する左右方向の連結誤差が、左右方向に沿って集積されると言う状態は、横フレームには生じないので、前述の連結誤差の集積によって、左右両側方の植付機構の位置に誤差が発生すると言うような状態は生じない。
　【００１２】
［ＩＩ］
　複数の植付ケースへの伝動系を構成する際、「従来の技術」に記載の実開昭６２−９９９１４号公報の構成によると、複数の植付ケースの間をつなぐパイプ部材内に伝動軸を配置して、複数の植付ケースの各々に動力を伝達するように構成されている。
　これにより、パイプ部材の端面と植付ケースの横面との連結及び伝動軸の連結が同一個所で行われることになるので、構造が複雑なものとなり、メンテナンス作業も困難なものとなっている。又、前項［Ｉ］に記載のように苗植付装置の全体を左右方向に曲げようとする曲げモーメントが、パイプ部材に掛かる状態になった場合、前述の曲げモーメントが伝動軸にも掛かる状態となるので、伝動軸の疲労及び伝動軸を支持するベアリング等の磨耗に発展するおそれがある。
　【００１３】
　請求項１の特徴によると、複数の植付ケースへの伝動系を構成する際、複数の植付ケースに動力を伝達する伝動軸が、横フレームの外部で複数の植付ケースに亘って架設されている。
　このように横フレームと植付ケースとの連結、及び植付ケースへの動力伝達を分けることにより、構造が簡素なものとなるのであり、メンテナンス作業も容易なものとなる。又、前項［Ｉ］に記載のように苗植付装置の全体を左右方向に曲げようとする曲げモーメントが、横フレームに掛かる状態となっても、前述の曲げモーメントが伝動軸に直接に掛かることはないので、伝動軸の疲労及び伝動軸を支持するベアリング等の磨耗を避けることができる。
　【００１４】
［ＩＩＩ］
　苗植付装置では、苗のせ台が左右方向に往復横送り駆動されるように支持されており、植付機構が苗のせ台から苗を取り出して田面に植え付けるように構成されている。苗のせ台は横幅及び上下長さが長いものなので、苗のせ台の上部及び下部を左右方向に往復横送り自在に支持する必要があり、苗のせ台の下部は一般に植付ケースに支持されることが多い。
　【００１５】
　請求項１の特徴によると、横フレームの右側部及び左側部に支持フレームが立設され、苗のせ台の上部が支持フレームに左右方向に往復横送り自在に支持されている。これによって、充分な強度を持つ横フレームに立設された支持フレームに、苗のせ台の上部が安定して支持される状態となり、苗のせ台が安定して円滑に左右方向に往復横送り駆動される。
　【００１６】
［ＩＶ］
　請求項２の特徴によると、請求項１の場合と同様に前項［Ｉ］［ＩＩ］［ＩＩＩ］に記載の「作用」を備えており、これに加えて以下のような「作用」を備えている。
　請求項２の特徴によると、植付ケースが横フレームに対して直接に取り付けられて支持されるので、植付ケースの横フレームへの取付構造を簡素に構成することが可能になる。
　【００１７】
［Ｖ］
　請求項３の特徴によると、請求項１又は２の場合と同様に前項［Ｉ］〜［ＩＶ］に記載の「作用」を備えており、これに加えて以下のような「作用」を備えている。
　苗植付装置では苗のせ台が前側斜め上方に傾斜して配置されており、請求項３の特徴によると、支持フレームが苗のせ台の前側に沿って前側斜め上方に傾斜して横フレームに立設されている。
　請求項３の特徴のように苗のせ台に沿って支持フレームを配置すると、苗のせ台と支持フレームとの間隔があまり大きなものにならない状態、及び苗のせ台に支持フレームが接近して配置される状態が得られる。
　【００１８】
　【発明の効果】
　請求項１の特徴によると、田植機の苗植付装置において横フレームの外側面に植付ケースを後向きに片持ち状に連設させることにより、苗植付装置の全体を左右方向に曲げようとする曲げモーメントに対し充分に耐えることができるようになって、苗植付装置の全体の強度を向上させることができた。
　請求項１の特徴によると、植付ケースが苗のせ台を往復横送り駆動する伝動機構とは別体に形成された比較的幅の狭いものとなっており、植付ケースを横フレームに連設する為の部分が比較的幅の狭いものになっているので、横フレームへの植付ケースの連設構造があまり大掛かりなものにならず、構造の簡素化の面で有利なものとなる。
　請求項１の特徴によると、左右方向の連結誤差が左右方向に沿って集積されると言う状態を避けることができ、左右両側方の植付機構の位置を精度良く設定することができるようになった。
　【００１９】
　請求項１の特徴のように、伝動軸を横フレームの外部で複数の植付ケースに亘って架設することにより、横フレームと植付ケースとの連結、及び植付ケースへの動力伝達を分けて、構造の簡素化及びメンテナンス作業の容易化を図ることができた。さらに、苗植付装置の全体を左右方向に曲げようとする曲げモーメントが、伝動軸に直接に掛かることを避けることができるので、伝動軸の疲労及び伝動軸を支持するベアリング等の磨耗を避けることができるようになり、苗植付装置の伝動系の耐久性を向上させることができた。
　【００２０】
　請求項１の特徴によると、充分な強度を持つ横フレームに立設された支持フレームに、苗のせ台の上部が安定して支持されて、苗のせ台が安定して円滑に左右方向に往復横送り駆動されるようになるので、植付機構が苗のせ台から苗を円滑に取り出して田面に植え付けるようになって、苗植付装置の植付性能を向上させることができた。
　【００２１】
　請求項２の特徴によると、請求項１の場合と同様に前述の請求項１の「発明の効果」を備えており、この「発明の効果」に加えて以下のような「発明の効果」を備えている。
　請求項２の特徴のように、植付ケースを横フレームに対して直接に取り付けて支持させることにより、植付ケースの横フレームへの取付構造を簡素に構成することが可能になるので、苗植付装置の全体構成の簡素化及び軽量化を図ることができた。
　【００２２】
　請求項３の特徴によると、請求項１又は２の場合と同様に前述の請求項１又は２の「発明の効果」を備えており、この「発明の効果」に加えて以下のような「発明の効果」を備えている。
　請求項３の特徴のように、支持フレームを苗のせ台の前側に沿って前側斜め上方に傾斜して横フレームに立設することにより、苗のせ台と支持フレームとの間隔があまり大きなものにならない状態、及び苗のせ台に支持フレームが接近して配置される状態を得ることができて、苗のせ台及び支持フレームを含む苗植付装置の全体のコンパクト化を図ることができた。
　【００２３】
　【実施例】
　図１及び図２に示すように、リンク装置１により乗用型の田植機の本体に昇降操作自在に連結される苗植付装置において、一定のストロークで左右方向に往復横送り駆動される苗のせ台２、苗のせ台２の下端部から一株分の苗を取り出して植え付ける８条分の植付爪３、苗植付装置を支持して植付面を整地する接地フロート４等が備えられている。
　【００２４】
　図１，２，３に示すように、リンク装置１のボス部５にローリング自在に伝動ケース６が連結され、左右方向に沿って延出される横長の横フレーム７が伝動ケース６に連結されており、４個の植付ケース８が互いに平行な状態で、横フレーム７の外側面に後向きに片持ち状に取り付けられている。植付ケース８の後部左右に２組のロータリ式の植付爪３が備えられており、田植機の本体の動力取り出し軸に連動する伝動ケース６の入力軸９に，伝動ケース６及び植付ケース８の伝動機構や、横フレーム７の外部で植付ケース８に亘って架設された伝動軸１０により植付爪３を連動させて、植付爪３を駆動するように構成されている。
　【００２５】
　図２に示すように、伝動軸１０と植付ケース８の伝動機構との間に、公知の定位置停止クラッチと同様な各条クラッチ１１が設けられており、各条クラッチ１１により２条分の植付爪３を停止させることができるように構成されて、畦際での少数条植えを行うことができるように構成されている。
　【００２６】
　図１，２，３に示すように、横フレーム７の右側部及び左側部に支柱１２が立設され、前側斜め上方に傾斜して配置される苗のせ台２に対し、苗のせ台２の背面（前側）に沿って前側斜め上方に傾斜して、支柱１２が配置されている。苗のせ台２の背面に連結されたレール１３を左右方向に移動自在に支持する横ステー１２ａが、両方の支柱１２の上部に亘って設けられており、各条クラッチ１１を各別に操作する操作レバー１４が、２本ずつ支柱１２に備えられている。
　【００２７】
　図４及び図５に示すように、支柱１２の横断面形状が略コ字形に形成され、操作レバー１４を上下揺動自在に支持する支軸１５が、支柱１２の内側に直接に取り付けられており、操作レバー１４と各条クラッチ１１とを接続するレリーズワイヤ１６のアウターワイヤ１６ａに対する受け部材１７が、支柱１２の内側に直接に取り付けられ、レリーズワイヤ１６における操作レバー１４側の部分が、支柱１２の内部に配置されている。支柱１２の側面に形成された逆Ｌ字形の案内孔１８に操作レバー１４を貫通させて、支柱１２が操作レバー１４のガイドに兼用されており、上方の切り位置と下方の入り位置とに操作レバー１４が案内されるように構成されている。
　【００２８】
　図１に示すように、苗のせ台２の左右方向への往復横送り駆動は、伝動ケース６の伝動機構による横送り軸１９の往復駆動により行われるように構成されており、苗のせ台２にベルト式の縦送り装置２０が設けられ、苗のせ台２が往復横送り駆動のストロークエンドに到達する毎に、一定距離だけ苗を取り出し口側に送るように縦送り装置２０が駆動される。
　【００２９】
　図１に示すように、２枚のマット状の苗を縦列に載置する苗のせ台２が屈曲形成されて、下端から縦送り装置２０の上方近くまでの下側部分Ｘが、ストレートで従来よりも緩やかな傾斜（５５度未満）に形成されており、縦送り装置２０に対する苗の滑りによる苗送り不良を防止するように構成されている。苗のせ台２の中間部分Ｙが従来よりも急な傾斜に形成されており、苗の滑りを良くして、確実な苗の連続送りが行われるように構成されている。苗のせ台２の上側部分Ｚが従来と同程度に形成されており、上部の苗の荷重で下部の苗の上端が突かれて浮き上がるような現象が防止されるように構成されており、全体として苗のせ台２の前後寸法Ｌが従来と同程度になるように構成されている。
　【００３０】
［別実施例］
　植付爪３の設置数、各条クラッチ１１の設置数や操作対象となる植付爪３の数は、適当に変更できる。
　操作レバー１４と各条クラッチ１１とをレリーズワイヤ１６で接続する場合、図６及び図７に示すように、別の各条クラッチ１１に接続された２本のレリーズワイヤ１６を２本の操作レバー１４に、連結位置が操作レバー１４の長手方向に異なるように接続し、支柱１２に略Ｆ字形の案内孔２１を形成して、下方の入り位置で両方の各条クラッチ１１が入り状態になり、一段引き上げた外側切り位置で外側の２条分が停止状態になり、二段引き上げた切り位置で両方の各条クラッチ１１が切り状態となるように構成してもよい。つまり、８条分の植付爪３を４個の各条クラッチ１１で操作するように構成し、４個の各条クラッチ１１を２本の操作レバー１４で操作するようにして、８条植え、左右いずれかの６条植え及び左右いずれかの４条植えの５種類の植付形態から、所望の植付形態を選択できるように構成してもよい。
　【００３１】
　支柱１２の横断面形状を略コ字形に形成する場合、図８に示すようなＣ字形に近い形状にするなど適当に変更できる。又、支柱１２の側面の開口部を開放自在な蓋で閉じてもよい。
　図９に示すように、支柱１２の前面に各条クラッチ１１の操作レバー１４を突出させる案内孔２１を形成する形態で実施することもできる。操作レバー１４の支軸１５、及びレリーズワイヤ１６のアウターワイヤ１６ａに対する受け部材１７を支柱１２の内側に直接に取り付ける構造は、適当に変更できる。
　【００３２】
　尚、特許請求の範囲の項に図面との対照を便利にするために符号を記すが、該記入により本発明は添付図面の構成に限定されるものではない。
【図面の簡単な説明】
　【図１】
　乗用型の田植機に連結される苗植付装置の側面図
　【図２】
　苗植付装置の平面図
　【図３】
　苗植付装置の正面図
　【図４】
　図３においてＡ−Ａ方向から見た断面図
　【図５】
　図４においてＢ−Ｂ方向から見た断面図
　【図６】
　別実施例における支柱付近の縦断正面図
　【図７】
　図６においてＣ−Ｃ方向から見た断面図
　【図８】
　別実施例における支柱の横断平面図
　【図９】
　別実施例における支柱及び操作レバー付近の斜視図
　【符号の説明】
　２　　　苗のせ台
　３　　　植付機構
　
６　　　伝動ケース
　７　　　横フレーム
　８　　　植付ケース
　１０　　伝動軸
　１２　　支持フレーム